(57)【要約】【課題】盤面を下にして左右一対のガイドレールで支えた廃パチンコ台盤を一方向に走行させ、その走行の途中に回転する釘抜きローラで台盤の盤面から垂下している釘を捕捉して引き抜く廃パチンコ台盤の釘抜き装置について、釘抜きローラの釘抜き部の突端が盤面の化粧シートに喰い込む現象を抑制して装置の稼動を円滑化する。【解決手段】釘抜きローラ８の本体部８ａの外周に、先行する釘抜き部８ｂが盤面の釘Ｎに引き抜き力を加えている状況下で廃パチンコ台盤Ａを受け支えて当該台盤の局部的な垂下を阻止する凸部１７を備えさせた。【選択図】図３
2019033918.tif 000002
【特許請求の範囲】
【請求項１】
処理対象の廃パチンコ台盤（Ａ）を、釘（Ｎ）が打たれている盤面を下にした状態で載せる左右一対の機枠（２）に支持されたガイドレール（３）と、前記廃パチンコ台盤（Ａ）の上を向いた裏面に接してその台盤を移動させる送りローラ（６）及び引抜きローラ（７）と、前記廃パチンコ台盤（Ａ）の送り方向と交差する向きに横架された動力駆動式の釘抜きローラ（８）を具備し、
前記送りローラ（６）によって送りをかけられた前記廃パチンコ台盤（Ａ）が前記釘抜きローラ（８）の設置点を通過するときに廃パチンコ台盤（Ａ）の盤面から垂下している釘（Ｎ）が前記釘抜きローラ（８）に捕捉されて引き抜かれ、次いで、釘抜きローラ設置部を通過した廃パチンコ台盤（Ａ）が前記釘抜きローラ（８）よりも当該台盤の送り方向前方に配置されている前記引抜きローラ（７）により送り方向に引き動かされる廃パチンコ台盤の釘抜き装置であって、
前記釘抜きローラ（８）が、釘（Ｎ）の頭を引っ掛ける釘抜き部（８ｂ）を本体部（８ａ）の外周に周方向に間隔をあけて複数有し、各釘抜き部（８ｂ）は、突端が尖っているスクレーパ様の軸方向に延びた突出部に、釘（Ｎ）の胴部を入り込ませる径方向に入り込んだ溝（８ｃ）を軸方向に定ピッチで多数設けて構成され、
その釘抜きローラ（８）は、先行する釘抜き部（８ｂ）が盤面の釘（Ｎ）に引き抜き力を加えている状況下で前記廃パチンコ台盤（Ａ）を受け支えて当該廃パチンコ台盤（Ａ）の局部的な垂下を阻止する凸部（１７）を本体部（８ａ）の外周に備える廃パチンコ台盤の釘抜き装置。
【請求項２】
前記凸部（１７）が、断面円形の金属棒を先行する釘抜き部（８ｂ）と後続の釘抜き部（８ｂ）との間において本体部（８ａ）の外周に溶接して作り出されている請求項１に記載の廃パチンコ台盤の釘抜き装置。
【請求項３】
先端の両側が水平配置のヒンジピン（１１）で前記機枠（２）にヒンジ結合されるレバー枠（４）を備え、そのレバー枠（４）と前記対のガイドレール（３）との間に台盤導入口（５）が形成され、前記台盤導入口（５）が前記レバー枠（４）によって開閉され、そのレバー枠（４）に前記送りローラ（６）が支持された請求項１又は２に記載の廃パチンコ台盤の釘抜き装置。
【請求項４】
前記送りローラ（６）、引抜きローラ（７）、釘抜きローラ（８）を駆動する駆動機構（９）を備え、その駆動機構（９）が送りローラ（６）、引抜きローラ（７）、釘抜きローラ（８）の３者を連動させるように構成された請求項１〜３のいずれかに記載の廃パチンコ台盤の釘抜き装置。
【請求項５】
前記引抜きローラ（７）が、機枠（２）にヒンジ結合された可動リンク（１３）に支持され、前記可動リンク（１３）と前記レバー枠（４）との間に、レバー枠（４）を閉じた位置で引っ張り力を生じて引抜きローラ（７）を廃パチンコ台盤（Ａ）に押しつけるばね（１６）が掛け渡されている請求項１〜４のいずれかに記載の廃パチンコ台盤の釘抜き装置。
【発明の詳細な説明】
【技術分野】
【０００１】
この発明は、廃パチンコ台盤の盤面に打ち込まれているパチンコ玉落下制御用の釘（以下では単に釘と言う）を効率的に安定して抜き取る釘抜き装置に関する。
【背景技術】
【０００２】
首記の廃パチンコ台盤用の釘抜き装置の従来例として、例えば、下記特許文献１，２に記載されたものがある。
【０００３】
これ等の特許文献に記載された釘抜き装置は、処理対象の廃パチンコ台盤（以下では単に台盤と言う）を、釘が打たれている盤面を下にした状態で載せる左右一対のガイドレールを有する。その対のガイドレールで台盤の両側部を支持し、その台盤を送りローラで送りをかけて移動させる。
【０００４】
対のガイドレールを支えた装置の機枠には、動力駆動式の釘抜きローラが台盤の送り方向と交差する向きに横架されており、送りをかけられた台盤がその釘抜きローラの設置点を通過するときに台盤の盤面から垂下している釘が釘抜きローラに捕捉されて引き抜かれる。
【０００５】
釘抜きローラは、機枠の左右の側板間に掛け渡す本体部の外周に釘の頭を引っ掛ける釘抜き部を有する。その釘抜き部は、径方向に突出して軸方向に延びた突条に釘の胴部を入り込ませる導入溝を軸方向に定ピッチで多数設けたものであって、その釘抜き部が、本体部の外周に周方向に間隔をあけて複数設けられている。
【０００６】
その釘抜き部を有する釘抜きローラが定位置で回転し、そこに台盤が通される。これにより、台盤の盤面から垂下した釘が導入溝に進入し、さらに、釘抜きローラの回転により釘の頭が釘抜き部に係止し、この状態で釘抜きローラがさらに回転し、釘抜きローラと台盤の相対移動もさらに進行することで、釘が台盤から引き抜かれる。
【先行技術文献】
【特許文献】
【０００７】
【特許文献１】特開２００１−７９１７９号公報
【特許文献２】特許第３５００１０６号公報
【発明の概要】
【発明が解決しようとする課題】
【０００８】
前記釘抜きローラの釘抜き部は、スクレーパのように突端（径方向の外端）が尖った形状にすると、釘の頭のすくい込みがスムーズになされて好ましい。
【０００９】
ところが、その好ましい釘抜き部形状を採用すると、釘抜き部の突端が台盤の盤面に貼られている樹脂製の化粧シートに食い込んで装置の作動が停止するなどのトラブルが発生することを実験で確認した。
【００１０】
パチンコ台の台盤は、木製基板の片面に化粧シートを貼った構造になっており、化粧シートの貼られた側が盤面となっている。
【００１１】
特許文献１，２などによって提案されているパチンコ台盤の釘抜き装置は、その盤面を下にしてガイドレールで支えた台盤を移動させる。そして、台盤の盤面から垂下した釘の頭を釘抜きローラの釘抜き部ですくって釘を釘抜きローラの回転方向に引っ張る。
【００１２】
このとき、台盤そのものが釘の引き抜き力を受けて下向きに引っ張られる。その台盤は
両側部のみが左右のガイドレールに支持されているので、撓みを生じて引っ張られた箇所が垂下する。
【００１３】
この状況で後続の釘抜き部が盤面の釘をすくう位置に移動してくることから、台盤の局部的な垂下が大きいときに、釘抜き部の尖った突端が垂下した箇所の盤面の化粧シートに喰い込む。その現象が発生して装置の稼動がスムーズにいかなかった。
【００１４】
この発明は、かかる不具合を解消した廃パチンコ台盤の釘抜き装置を提供することを課題としている。
【課題を解決するための手段】
【００１５】
上記の課題を解決するため、この発明においては、処理対象の廃パチンコ台盤を、釘が打たれている盤面を下にした状態で載せる左右一対の機枠に支持されたガイドレールと、前記廃パチンコ台盤の上を向いた裏面に接してその廃パチンコ台盤を移動させる送りローラ及び引抜きローラと、前記廃パチンコ台盤の送り方向と交差する向きに横架された動力駆動式の釘抜きローラを具備し、
前記送りローラによって送りをかけられた前記廃パチンコ台盤が前記釘抜きローラの設置点を通過するときに廃パチンコ台盤の盤面から垂下している釘が前記釘抜きローラに捕捉されて引き抜かれ、次いで、釘抜きローラ設置部を通過した廃パチンコ台盤が前記釘抜きローラよりも当該台盤の送り方向前方に配置されている前記引抜きローラにより送り方向に引き動かされる廃パチンコ台盤の釘抜き装置を改善の対象にして、前記釘抜きローラを以下の通りに構成した。
【００１６】
即ち、前記釘抜きローラが、釘の頭を引っ掛ける釘抜き部を本体部の外周に周方向に間隔をあけて複数有し、各釘抜き部は、突端が尖っているスクレーパ様の軸方向に延びた突出部に、釘の胴部を入り込ませる径方向に入り込んだ溝を軸方向に定ピッチで多数設けて構成され、
その釘抜きローラは、先行する釘抜き部が盤面の釘に引き抜き力を加えている状況下で前記廃パチンコ台盤を受け支えて当該廃パチンコ台盤の局部的な垂下を阻止する凸部を本体部の外周に備えるものにした。
【００１７】
前記凸部は、設置数を釘抜き部と同数にし、各凸部を回転方向前後の釘抜き部間に配置する。
【００１８】
この廃パチンコ台盤の釘抜き装置は、前記特許文献１、２の装置と同様、先端の両側が水平配置のヒンジピンで機枠にヒンジ結合されるレバー枠を備え、そのレバー枠と前記対のガイドレールとの間に台盤導入口が形成され、その台盤導入口が前記レバー枠によって開閉され、そのレバー枠に前記送りローラが支持された形態のものが考えられる。
【００１９】
また、前記レバー枠が無くて前記台盤導入口が開閉不可の口として機枠に形成された形態の装置も考えられる。
【００２０】
どちらの形態の釘抜き装置も、前記送りローラと引抜きローラは、ガイドレールに対応した領域のみが廃パチンコ台盤に送り力を加えるものでよい。
【００２１】
前記送りローラ、引抜きローラ及び釘抜きローラは、チェーン・スプロケットなどの動力伝達部材を介して３者を連動させるのがよい。
【００２２】
また、釘抜きローラは、釘抜き部を靭性に優れる焼入れされていない鉄系材料などで形成したものが好ましく、さらに、本体部とは別加工した釘抜き部を本体部の外周に溶接するなどして取付たものがよい。
【発明の効果】
【００２３】
この発明の廃パチンコ台盤の釘抜き装置は、釘抜きローラが本体部の外周に凸部を備えている。
【００２４】
その凸部は、釘に加えられる引き抜き力によって下向きに引っ張られた台盤を受け支えて台盤の局部的な垂下を阻止する。これにより、台盤の局部的な垂下が小さく抑えられ、そのために、盤面の化粧シートに対する後続の釘抜き部の喰い込みが起こり難くなり、装置の稼動停止などのトラブルが回避される。
【００２５】
なお、送りローラ、釘抜きローラ、引抜きローラの３者を動力伝達部材を介して連動させるようにしたものは、動力源となるモータが１台でよく、装置の製造コストが抑えられる。
【００２６】
また、釘抜きローラの釘抜き部が焼入れされていない鉄系材料や銅合金などで形成されたものは、釘抜き部の破損（欠けなど）が生じ難い。
【００２７】
その釘抜き部が本体部と別加工されて本体部の外周に取付られたものは、釘抜きローラの製造がし易い。
【図面の簡単な説明】
【００２８】
【図１】この発明の廃パチンコ台盤の釘抜き装置の一例を示す左側面図である。
【図２】図１の釘抜き装置の右側面図である。
【図３】図１の釘抜き装置の幅方向の中央部における縦断面図である。
【図４】図１の釘抜き装置に設けた釘抜きローラの斜視図である。
【図５】図１の釘抜き装置に設けた釘抜きローラの端面図である。
【図６】図１の釘抜き装置において釘抜きが進行している状態を簡略化して示す断面図である。
【図７】釘抜きが行なわれているときに釘抜きローラに設けた凸部が台盤を受け支えている状態の説明図である。
【図８】図１の釘抜き装置に設けた送りローラの詳細を示す部分破断斜視図である。
【発明を実施するための形態】
【００２９】
以下、この発明の廃パチンコ台盤の釘抜き装置の実施の形態を添付図面の図１〜図８に基づいて説明する。
【００３０】
例示の廃パチンコ台盤の釘抜き装置１は、機枠２に台盤導入口５を開閉するレバー枠４を設け、そのレバー枠４を開いた状態で台盤導入口５から廃パチンコ台盤Ａを内部に取り込むものである。
【００３１】
この廃パチンコ台盤の釘抜き装置１は、左右一対のガイドレール３、３（図８参照）と、廃パチンコ台盤Ａ（図３、図６参照。以下では単に台盤Ａと言う）を移動させる送りローラ６及び引取りローラ７（これ等のローラは、図３、図６、図８を同時参照）と、台盤Ａに植設されている釘Ｎ（図６、図７参照）を抜き取る釘抜きローラ８（図４〜図７参照）と、送りローラ６、引取りローラ７、釘抜きローラ８の３者を回転させる駆動機構９を備えている。
【００３２】
ガイドレール３は、図８に示すように、機枠２の両側部に設けられている。このガイドレール３とレバー枠４との間には、台盤導入口５を始端とする台盤移動通路１０が形成されている。
【００３３】
レバー枠４は、台盤導入口５を開閉するための可動枠であって、先端の両側部が水平配置のヒンジピン１１を用いて機枠２にヒンジ結合されている。
【００３４】
送りローラ６は、レバー枠４に支持されており、レバー枠４が開いているときには退避点に移動していて台盤Ａに接触しない。例示の送りローラ６は、図８に示すように、両側外周に送り爪６ａを設け、中央部は、台盤Ａに軽く接する軟質樹脂の被覆層６ｂを備えたものになっている。
【００３５】
引取りローラ７は、機枠２にヒンジピン１２を用いてヒンジ結合された可動リンク１３
に支持されている。可動リンク１３は、起立したブラケット１４を有しており、そのブラケット１４に連結したレバー１５（図１、図２、図６参照）で可動リンク１３を揺動させて引取りローラ７の位置を変動させることができる。
【００３６】
ブラケット１４とレバー枠４との間には、ばね１６が掛け渡されており、レバー枠４を閉じるとばね１６が引き延ばされ、そのばねの引っ張り力で引取りローラ７が台盤Ａに押し当てられるようになっている。
【００３７】
引取りローラ７は、釘抜きローラ８よりも台盤Ａの送り方向前方に配置されており、釘抜きローラ８の設置点を通過した台盤Ａを引動かす。この引取りローラ７も、送りローラ６と同様、両側外周に送り爪を設け、中央部に軟質樹脂の被覆層を備えるもの（送りローラ６と同一構造のもの）が採用されている。
【００３８】
図４に詳しく示すように、釘抜きローラ８は、機枠２の両側板２ａ、２ａ（図８参照）間に回転可能に横架される水平配置の本体部８ａを有し、その本体部８ａの外周に、釘Ｎの頭を引っ掛ける釘抜き部８ｂを周方向に間隔をあけて複数個（図のそれは９０°間隔で計４個）設け、さらに、隣り合う釘抜き部８ｂ、８ｂ間に、この発明を特徴づける凸部１７を設けたものが採用されている。
【００３９】
釘抜き部８ｂの各々は、突端が尖っているスクレーパ様の軸方向に延びた突出部に、釘Ｎの胴部を入り込ませる径方向に入り込んだ溝８ｃを軸方向に定ピッチで多数設けて構成されている。この釘抜き部８ｂは、例示の釘抜き装置においては、周方向に９０°ピッチで計４個が設けられているが、その数は適宜に増減できる。
【００４０】
この釘抜き部８ｂは、耐欠損性を確保するために、適度に硬くて靭性に優れる材料、例えば、焼入れ硬化処理がなされてされていない鉄系材料などで形成されている。
【００４１】
凸部１７は、先行する釘抜き部８ｂが盤面の釘Ｎに引き抜き力を加えている状況下で台盤Ａを下から受けてその台盤Ａの局部的な垂下を阻止するものが設けられている。
【００４２】
図示の凸部１７は、断面円形の金属棒を本体部８ａの外周に溶接して作り出されているが、その凸部１７は、本体部８ａと一体成形されたものであってもよい。
【００４３】
その凸部１７の設置点と径方向の突出高さは、釘抜き部８ｂの総数や台盤Ａの送り速度などを考慮して適切に設定する。
【００４４】
駆動機構９は、送りローラ６、引取りローラ７、釘抜きローラ８の３者を連動させて駆動するものが設けられている。
【００４５】
例示の駆動機構９は、モータ９ａと、動力伝達用のスプロケットホイール９ｂ及びチェーン９ｃを組み合わせたものになっている。
【００４６】
スプロケットホイール９ｂは、計９個が設けられている。スプロケットホイール９ｂ−１（説明の便宜上、下付き小文字の番号を付す。チェーンも同様）は、機枠２で保持したモータ９ａの出力軸に取付けられ、釘抜きローラ８の支軸８ｄの片端と他方の端に９ｂ−２と９ｂ−３が取付けられている。
【００４７】
また、機枠２の台盤移動通路１０の出口側の上部に横架して設けた回転軸１８の片端側に９ｂ−４と９ｂ−５（共に図２参照）が、他端側に９ｂ−６（図１参照）がそれぞれ取付けられ、さらに、送りローラ６の支軸６ｃ（図１、図２参照）の一端側に９ｂ−７が、引取りローラ７の支軸７ａ（図１参照）の他端側に９ｂ−８が取付けられている。
【００４８】
スプロケットホイール９ｂ−９（図１参照）は、ばね１９で付勢したテンショナホイールであり、機枠２に変位可能に取付けられている。
【００４９】
チェーン９ｃは、スプロケットホイール９ｂ−１と９ｂ−２を繋ぐ９ｃ−１、スプロケットホイール９ｂ−３と９ｂ−４を繋ぐ９ｃ−２、スプロケットホイール９ｂ−５と９ｂ−７を繋ぐ９ｃ−３、スプロケットホイール９ｂ−６、９ｂ−８、９ｂ−９の３者間に掛け渡す９ｃ−４の
４本が設置されている。
【００５０】
このように構成された廃パチンコ台盤の釘抜き装置１は、レバー枠４を開き、その状態で台盤Ａを、盤面が下を向く姿勢にして機枠２内の台盤移動通路１０に導入する。
【００５１】
台盤移動通路１０に挿入された台盤Ａは、両側部が左右のガイドレール３，３によって受け支えられる。
【００５２】
その後、レバー枠４を閉じて台盤Ａをガイドレール３と送りローラ６との間に挟み込む。
【００５３】
送りローラ６は、レバー枠４が閉じられるとガイドレール３側に移動し、ガイドレール３に支持された台盤Ａに接触する。
【００５４】
また同時に、レバー枠４の閉鎖によりリミットスイッチ（図示せず）が作動し、引抜きローラ７、及び釘抜きローラ８の３者が同期して回転する。この回転により、送りローラ６が接した廃パチンコ台盤Ａに送りが掛かり、台盤Ａが台盤移動通路１０内でその通路の出口に向かって移動し始める。
【００５５】
この状態では、台盤Ａの盤面に植設された多数の釘Ｎは、盤面から垂下した姿勢を維持して左右のガイドレール３、３間に置かれている。
【００５６】
送りローラ６によって送りが掛けられた台盤Ａは、釘抜きローラ８の設置点を通過する。そのときに、台盤Ａの盤面から垂下している釘Ｎが釘抜きローラ８に捕捉され、釘抜きローラ８のさらなる回転により釘抜きローラ８に捕捉された釘Ｎに引抜き力が加わる。
【００５７】
これにより、台盤Ａは引抜き力を受けた部分が引っ張られて下向きに撓もうとする。このとき、釘抜きローラ８に設けた凸部１７は、図７に示すように、台盤Ａの下向きに引かれる箇所の下部に移動しており、この凸部１７が台盤Ａの局部的な垂下を阻止する。
【００５８】
これにより、台盤Ａの局部的な垂下が小さく抑えられ、そのために、盤面の樹脂製化粧シートに対する後続の釘抜き部の喰い込みが起こり難くなる。その喰い込みが抑制されることで、稼動停止などのトラブルが回避されて釘抜き装置の安定した運転が可能になる。
【００５９】
なお、例示した廃パチンコ台盤の釘抜き装置１は、台盤導入口を開閉するレバー枠を備えているため、機内に対する台盤Ａの導入が楽に行なえるが、この発明を特徴づける釘抜きローラは、適用対象がレバー枠４が無くて台盤導入口５が開閉不可の口として機枠２に形成された形態の釘抜き装置であってもその有効性が発揮される。
【符号の説明】
【００６０】
１          廃パチンコ台盤の釘抜き装置
２          機枠
３          ガイドレール
４          レバー枠
５          台盤導入口
６          送りローラ
６ａ        送り爪
６ｂ        軟質樹脂の被覆層
６ｃ        支軸
７          引取りローラ
７ａ        支軸
８          釘抜きローラ
８ａ        本体部
８ｂ        釘抜き部
８ｃ        溝
８ｄ        支軸
９          駆動機構
１０        台盤移動通路
１１、１２  ヒンジピン
１３        可動リンク
１４        ブラケット
１５        レバー
１６        ばね
１７        凸部
１８        回転軸
１９        ばね
Ａ          廃パチンコ台盤
Ｎ          釘
【図１】
2019033918.tif 000003
【図２】
2019033918.tif 000004
【図３】
2019033918.tif 000005
【図４】
2019033918.tif 000006
【図５】
2019033918.tif 000007
【図６】
2019033918.tif 000008
【図７】
2019033918.tif 000009
【図８】
2019033918.tif 000010
【手続補正書】
【提出日】平成30年3月14日(2018.3.14)
【手続補正１】
【補正対象書類名】特許請求の範囲
【補正対象項目名】全文
【補正方法】変更
【補正の内容】
【特許請求の範囲】
【請求項１】
処理対象の廃パチンコ台盤（Ａ）を、釘（Ｎ）が打たれている盤面を下にした状態で載せる左右一対の機枠（２）に支持されたガイドレール（３）と、前記廃パチンコ台盤（Ａ）の上を向いた裏面に接してその台盤を移動させる送りローラ（６）及び引取りローラ（７）と、前記廃パチンコ台盤（Ａ）の送り方向と交差する向きに横架された動力駆動式の釘抜きローラ（８）と、前記送りローラ（６）、引取りローラ（７）、釘抜きローラ（８）の３者を連動させて駆動する駆動機構（９）を具備し、
前記送りローラ（６）によって送りをかけられた前記廃パチンコ台盤（Ａ）が前記釘抜きローラ（８）の設置点を通過するときに廃パチンコ台盤（Ａ）の盤面から垂下している釘（Ｎ）が回転している前記釘抜きローラ（８）に捕捉されて引き抜かれ、次いで、釘抜きローラ設置部を通過した廃パチンコ台盤（Ａ）が前記釘抜きローラ（８）よりも当該台盤の送り方向前方に配置されている前記引取りローラ（７）により送り方向に引き動かされる廃パチンコ台盤の釘抜き装置であって、
前記釘抜きローラ（８）が、釘（Ｎ）の頭を引っ掛ける釘抜き部（８ｂ）を本体部（８ａ）の外周に周方向に間隔をあけて複数有し、各釘抜き部（８ｂ）は、突端が尖っているスクレーパ様の軸方向に延びた突出部に、釘（Ｎ）の胴部を入り込ませる径方向に入り込んだ溝（８ｃ）を軸方向に定ピッチで多数設けて構成され、
その釘抜きローラ（８）は、先行する釘抜き部（８ｂ）が盤面の釘（Ｎ）に引き抜き力を加えている状況下で前記廃パチンコ台盤（Ａ）を受け支えて当該廃パチンコ台盤（Ａ）の局部的な垂下を阻止する凸部（１７）を本体部（８ａ）の外周に備える廃パチンコ台盤の釘抜き装置。
【請求項２】
前記凸部（１７）が、断面円形の金属棒を先行する釘抜き部（８ｂ）と後続の釘抜き部（８ｂ）との間において本体部（８ａ）の外周に溶接して作り出されている請求項１に記載の廃パチンコ台盤の釘抜き装置。
【請求項３】
先端の両側が水平配置のヒンジピン（１１）で前記機枠（２）にヒンジ結合されるレバー枠（４）を備え、そのレバー枠（４）と前記対のガイドレール（３）との間に台盤導入口（５）が形成され、前記台盤導入口（５）が前記レバー枠（４）によって開閉され、そのレバー枠（４）に前記送りローラ（６）が支持された請求項１又は２に記載の廃パチンコ台盤の釘抜き装置。
【請求項４】
前記引取りローラ（７）が、機枠（２）にヒンジ結合された可動リンク（１３）に支持され、前記可動リンク（１３）と前記レバー枠（４）との間に、レバー枠（４）を閉じた位置で引っ張り力を生じて引取りローラ（７）を廃パチンコ台盤（Ａ）に押しつけるばね（１６）が掛け渡されている請求項３に記載の廃パチンコ台盤の釘抜き装置。
【手続補正２】
【補正対象書類名】明細書
【補正対象項目名】００１５
【補正方法】変更
【補正の内容】
【００１５】
上記の課題を解決するため、この発明においては、処理対象の廃パチンコ台盤を、釘が打たれている盤面を下にした状態で載せる左右一対の機枠に支持されたガイドレールと、前記廃パチンコ台盤の上を向いた裏面に接してその廃パチンコ台盤を移動させる送りローラ及び引取りローラと、前記廃パチンコ台盤の送り方向と交差する向きに横架された動力駆動式の釘抜きローラを具備し、
前記送りローラによって送りをかけられた前記廃パチンコ台盤が前記釘抜きローラの設置点を通過するときに廃パチンコ台盤の盤面から垂下している釘が前記釘抜きローラに捕捉されて引き抜かれ、次いで、釘抜きローラ設置部を通過した廃パチンコ台盤が前記釘抜きローラよりも当該台盤の送り方向前方に配置されている前記引取りローラにより送り方向に引き動かされる廃パチンコ台盤の釘抜き装置を改善の対象にして、前記釘抜きローラを以下の通りに構成した。
【手続補正３】
【補正対象書類名】明細書
【補正対象項目名】００２０
【補正方法】変更
【補正の内容】
【００２０】
どちらの形態の釘抜き装置も、前記送りローラと引取りローラは、ガイドレールに対応した領域のみが廃パチンコ台盤に送り力を加えるものでよい。
【手続補正４】
【補正対象書類名】明細書
【補正対象項目名】００２１
【補正方法】変更
【補正の内容】
【００２１】
前記送りローラ、引取りローラ及び釘抜きローラは、チェーン・スプロケットなどの動力伝達部材を介して３者を連動させるのがよい。
【手続補正５】
【補正対象書類名】明細書
【補正対象項目名】００２５
【補正方法】変更
【補正の内容】
【００２５】
なお、送りローラ、釘抜きローラ、引取りローラの３者を動力伝達部材を介して連動させるようにしたものは、動力源となるモータが１台でよく、装置の製造コストが抑えられる。
【手続補正６】
【補正対象書類名】明細書
【補正対象項目名】００５４
【補正方法】変更
【補正の内容】
【００５４】
また同時に、レバー枠４の閉鎖によりリミットスイッチ（図示せず）が作動し、引取りローラ７、及び釘抜きローラ８の３者が同期して回転する。この回転により、送りローラ６が接した廃パチンコ台盤Ａに送りが掛かり、台盤Ａが台盤移動通路１０内でその通路の出口に向かって移動し始める。